(57)【要約】【課題】場所を取らない簡単な構造により、感染患者等を隔離した状態で搬送することができる。【解決手段】椅子２を保持するとともに椅子２の周囲の隔離空間Ｓの空気を浄化して排出する排気機構４を設けた装置本体５と、隔離空間Ｓを覆う隔離シート６とを備え、排気機構４に、隔離空間Ｓに露出する吸込口４１、及び外部に露出した排気口４２を有する排気流路４３と、排気流路４３で隔離空間Ｓ内の空気を吸込口４１から排気口４２へ流通させるファン７と、排気流路４３内に設けられたフィルター４４とを備えることで、椅子２に座った患者Ｍを外部から隔離した状態で搬送するようにした。【選択図】図１
2011147544.tif 000002
【特許請求の範囲】
【請求項１】
患者用の椅子と走行車輪とを備え、前記椅子に座った患者を外部から隔離した状態で搬送する患者搬送装置であって、
前記椅子を保持するとともに、前記椅子の周囲の隔離空間の空気を浄化して排出する排気機構を設けた装置本体と、
前記隔離空間を覆う隔離シートと、
を備え、
前記排気機構は、前記隔離空間に露出する吸込口、及び外部に露出した排気口を有する排気流路と、該排気流路で前記隔離空間内の空気を前記吸込口から排気口へ流通させるファンと、前記排気流路内に設けられたフィルターと、からなることを特徴とする患者搬送装置。
【請求項２】
前記隔離シートは、一部が開閉可能に設けられていることを特徴とする請求項１に記載の患者搬送装置。
【請求項３】
前記吸込口は、前記患者の顔の近傍に配置されていることを特徴とする請求項１又は２に記載の患者搬送装置。
【請求項４】
前記隔離シートは、少なくとも前記患者の正面が前記隔離空間側から外部に向けてのみ見えるマジックミラーにより形成されていることを特徴とする請求項１乃至３のいずれかに記載の患者搬送装置。
【発明の詳細な説明】
【技術分野】
【０００１】
本発明は、感染患者等を外部から隔離した状態で容易に搬送することができる患者搬送装置に関する。
【背景技術】
【０００２】
従来、医療施設において、例えばインフルエンザ等の原因による感染患者（以下、患者という）を外来受付から診療室まで搬送する際に、患者から外来に来院した他の外来患者（非感染者）への感染拡大を防止する必要があり、患者を隔離しながら搬送する装置として、例えば特許文献１で提案されているものがある。
【０００３】
特許文献１には、ストレッチャー上に患者が横になった姿勢のまま入ることが可能なカプセル状の容器がストレッチャーに対して分離可能に設けられた構造であって、横に寝かせた患者を乗せたマットレスをスライドさせて容器内に出入りさせる構成をなし、容器内は外部に対して隔離可能とされ、隔離状態で容器内の空気が換気手段によって外気と入れ替えられる構造の患者搬送容器について開示されている。
【先行技術文献】
【特許文献】
【０００４】
【特許文献１】特開平１１−２９０３８３号公報
【発明の概要】
【発明が解決しようとする課題】
【０００５】
しかしながら、従来の患者搬送装置では、以下のような問題があった。
すなわち、特許文献１に示すようなストレッチャー上で患者を横に寝かせる構造は、装置１台あたりが占めるスペースが大きいことから、病院などで準備できる台数が制限されることになり、感染症が流行して患者数が増大した場合に対応できなくなるという問題があった。
しかも、横に寝かせた患者を乗せたマットレスをスライドさせて容器内に出入りさせる複雑な構造で装置自体が高価となり、病院側の経済的負担も増大することから、簡易な装置が求められており、その点で改良の余地があった。
【０００６】
本発明は、上述する問題点に鑑みてなされたもので、場所を取らない簡単な構造により、感染患者等を隔離した状態で搬送することができる患者搬送装置を提供することを目的とする。
【課題を解決するための手段】
【０００７】
上記目的を達成するため、本発明に係る患者搬送装置では、患者用の椅子と走行車輪とを備え、椅子に座った患者を外部から隔離した状態で搬送する患者搬送装置であって、椅子を保持するとともに、椅子の周囲の隔離空間の空気を浄化して排出する排気機構を設けた装置本体と、隔離空間を覆う隔離シートとを備え、排気機構は、隔離空間に露出する吸込口、及び外部に露出した排気口を有する排気流路と、排気流路で隔離空間内の空気を吸込口から排気口へ流通させるファンと、排気流路内に設けられたフィルターとからなることを特徴としている。
【０００８】
本発明では、椅子に座った患者の周囲の所定空間が隔離シートで覆われることで隔離空間が形成され、その隔離空間内の空気が排気機構の吸込口より装置本体内の排気通路へ吸入されて、排気通路内のフィルターを通過して浄化された状態で排気口から外部に排出されることになる。そして、このような排気機構によって隔離空間が負圧となるため、外部との圧力差により隔離空間内の空気が直接外部に漏れることを防ぐことができる。
【０００９】
また、隔離シートには簡易且つ交換が容易なビニルシート等を用いることで、装置が簡単な構造となり、コストの低減を図ることができる。
さらに、本患者搬送装置は車椅子型でコンパクト化された構造であり、省スペース化された構造であるので、従来のストレッチャー型のように場所を取ることがなく、より多くの台数の患者搬送装置を保管することが可能となる。そのため、感染症が流行して患者数が増大した場合であっても、より多くの患者に対応することができる。
【００１０】
また、本発明に係る患者搬送装置では、隔離シートは、一部が開閉可能に設けられていることが好ましい。
本発明では、例えばファスナーなどの部材を用いて隔離シートの一部を開閉可能とするといった簡単な構造で患者の出入口を設けることができ、装置全体としての小型化、軽量化を図ることができる。
【００１１】
また、本発明に係る患者搬送装置では、吸込口は、患者の顔の近傍に配置されていることが好ましい。
この場合、患者の口や鼻から出る飛沫や空気をより確実に吸込口から装置本来の排気流路内に吸入することができる。
【００１２】
また、本発明に係る患者搬送装置では、隔離シートは、少なくとも患者の正面が隔離空間側から外部に向けてのみ見えるマジックミラーにより形成されていることがより好ましい。
本発明では、隔離シートによって周囲を覆われた状態で搬送される患者は外部から見られることがなく、患者からは外部が見えるので、患者が受ける外部からの視線、圧迫感や閉塞感を少なくすることができる。
【発明の効果】
【００１３】
本発明の患者搬送装置によれば、場所を取らない簡単な構造により、患者を隔離した状態で目的の場所へ搬送することができるため、搬送時における患者から外部の人への感染拡大を防止することができる。
【図面の簡単な説明】
【００１４】
【図１】本発明の実施の形態による患者搬送装置の概略構成を示す斜視図である。
【図２】図１に示す患者搬送装置の一部破断斜視図である。
【図３】本実施の形態の変形例による患者搬送装置の概略構成を示す斜視図であって、図１に対応する図である。
【発明を実施するための形態】
【００１５】
以下、本発明の実施の形態による患者搬送装置について、図面に基づいて説明する。
図１に示すように、本実施の形態による患者搬送装置１は、患者用の椅子２と走行車輪３とを備え、その椅子２に座った患者Ｍを外部から隔離した状態で搬送するものであって、全体が箱型形状をなしている。
ここで、以下の説明では、患者搬送装置１の走行方向Ｘで前進側を「前方」、「前面」、とし、その後退側を「後方」、「背面」とする。
【００１６】
図１および図２に示すように、患者搬送装置１は、前面側で椅子２を保持するとともに、椅子２の周囲の隔離空間Ｓの空気を浄化して排出する排気機構４を設けた装置本体５と、隔離空間Ｓを覆う隔離シート６とを備えて概略構成されている。
装置本体５は、車椅子型であって、椅子２の背もたれ側に位置する本体背面部５１と、椅子２の下方に位置する本体下部５２とからなる。本体背面部５１の前面５１ａには、椅子２の両側の位置に後述する吸込口４１が設けられている。また、本体下部５２には、その後面５２ａに後述する排気口４２が設けられ、下面５２ｂに４つの走行車輪３、３、…が取り付けられている。
【００１７】
装置本体５に備えられている排気機構４は、隔離空間Ｓに露出する前記吸込口４１（４１Ａ、４１Ｂ）及び外部に露出した排気口４２を有する排気流路４３と、この排気流路４３で隔離空間Ｓ内の空気Ｅを吸込口４１から排気口４２へ流通させるファン７と、排気流路４３内に設けられたフィルター４４（４４Ａ、４４Ｂ）とからなる。吸込口４１（４１Ａ、４１Ｂ）は、患者Ｍの顔の近傍に配置されている。
【００１８】
ファン７は、排気流路４３の下流側に設けられ、その排気管７ａが排気口４２に接続されている。そして、一方の第１フィルター４４Ａはファン７の上流側の排気流路４３に配置され、他方の第２フィルター４４Ｂは排気管７ａと排気口４２との間に介装されて設けられている。また、本体下部５２には、ファン７を駆動するためのバッテリーなどの電源８が設けられている
【００１９】
吸込口４１は排気流路４３に連通しており、隔離空間Ｓ内の空気Ｅが吸込口４１より排気流路４３を通過して、ファン７を介して排気口４２から排気されるが、この流通時に上述した２つの第１フィルター４４Ａと第２フィルター４４Ｂを通過することで、浄化されたきれいな空気Ｅが排出される。なお、ファン７による換気は、連続換気でもよいし、間欠的な換気であってもかまわない。
【００２０】
患者搬送装置１に用いられるフィルター４４として、例えば、ＨＥＰＡフィルター（忍足研究所社製、ＳＬＶ−Ａ６（２００ｍｍ×２００ｍｍ×６６ｍｍ））を使用することができる。そして、ファン７の運転条件の一例として、例えば排気口４２における吹出し風速が０．５ｍ／ｓ、吹出し風量が０．５ｍ３／ｍｉｎとなるように設定することができ、約３０回／ｈ程度（＝１５回／ｈ×２ｍ３）の間欠式の運転とすることが可能である。
【００２１】
また、ファン７は、隔離空間Ｓ内の患者Ｍにとって気にならないレベルのファン騒音（４４ｄＢ；例えば手術室と同程度）のＳａｎＡｃｅ  Ｂ１２０（山洋電気社製）、１２Ｖ、最大風量０．６１ｍ３／ｍｉｎ、最大静圧１０９．８Ｐａを使用することができる。
さらに、ファン７を駆動させるための電源８には、搬送に好適な充電式内蔵バッテリーを使用する。
【００２２】
図１に示すように、隔離シート６は、椅子２に座った患者Ｍの周囲の所定領域（隔離空間Ｓ）を覆うようにして設けられている。具体的には、隔離空間Ｓの外郭部に枠材９が枠組みされており、枠材９間、或いは枠材９と装置本体５との間に隔離シート６が張設されている。つまり、隔離シート６は、患者Ｍから見て両側の側面シート６１、６２と上面・正面シート６４からなる。
そして、隔離シート６は、例えば焼却可能で廃棄処分し易いビニルシート等の部材が用いられ、隔離空間Ｓ側から外部に向けてのみ見えるマジックミラーにより形成されている。そのため、患者Ｍからは外部が見えるが、外部から隔離空間Ｓ内の患者Ｍが見えないようになっている。
【００２３】
また、上面・正面シート６４は、上面側の後方端が装置本体５に対して固定されており、上面・正面シート６４に向かって両側が縦材９に対してファスナー６５によって開閉可能となっている。このファスナー６５を開けて上面・正面シート６４を図１に示すように上下方向（矢印Ｙ方向）に捲くり上げることで、患者Ｍの出入口が確保される構成となっている。なお、この上面・正面シート６４は、上面の後端側まで捲くることが可能である。そして、患者Ｍの出入りがないとき（搬送中）には、上面・正面シート６４をステップ１１の位置まで下ろした状態にすることで、隔離空間Ｓ内を密閉状態にすることができる。このようにファスナー６５を用いて隔離シート６の一部を開閉可能とするといった簡単な構造で患者Ｍの出入口を設けることができ、装置全体としての小型化、軽量化を図ることができる。
【００２４】
次に、患者搬送装置１の作用について図面に基づいて説明する。
図１に示すように、患者Ｍを例えば外来受付から診察室へ搬送する際において、患者搬送装置１の上面・正面シート６４を開けて、その入口から隔離空間Ｓ内の椅子２に患者Ｍを着座させる。そして、ファスナー６５により上面・正面シート６４を閉じて入口を塞ぐ。
これにより、椅子２に座った患者Ｍの周囲の所定空間が隔離シート６で覆われ、隔離空間Ｓが形成されることになる。なお、隔離シート６がマジックミラーになっているので、搬送されている患者Ｍは外部から見られることがなく、患者Ｍからは外部が見えるので、患者Ｍが受ける外部からの視線、圧迫感や閉塞感を少なくすることができる。
【００２５】
続いて、隔離空間Ｓに患者Ｍが入ったときに排気機構４を作動させることで、図２に示すように、隔離空間Ｓ内の空気Ｅが排気機構４の吸込口４１より装置本体５内の排気通路４３へ吸入され、排気通路４３内のフィルター４４を通過して浄化された状態で排気口４２２から外部に排出されることになる。そして、このような排気機構４によって隔離空間Ｓが負圧となるため、外部との圧力差により隔離空間Ｓ内の空気が直接外部に漏れることを防ぐことができる。
【００２６】
また、隔離シート６には簡易且つ交換が容易なビニルシートを用いることで、装置が簡単な構造となり、コストの低減を図ることができる。
さらに、患者搬送装置１は車椅子型でコンパクト化された構造であり、省スペース化された構造であるので、従来のストレッチャー型のように場所を取ることがなく、より多くの台数の患者搬送装置１を保管することが可能となる。そのため、感染症が流行して患者数が増大した場合であっても、より多くの患者Ｍに対応することができる。
【００２７】
上述のように実施の形態による患者搬送装置では、場所を取らない簡単な構造により、患者Ｍを隔離した状態で目的の場所へ搬送することができるため、搬送時における患者Ｍから外部の人への感染拡大を防止することができる。
【００２８】
次に、上述した実施の形態による変形例について図面に基づいて説明するが、上述の実施の形態と同一又は同様な部材、部分には同一の符号を用いて説明を省略し、異なる構成について説明する。
【００２９】
図３に示す変形例による患者搬送装置１０は、図１に示す正面側の隔離シート６（上面・正面シート６４）に代えて、蛇腹式の部材からなる隔離シートを採用したものである。すなわち、隔離シート６の蛇腹式シート６６は、上面側から正面側にわたって延在する枠材９１に設けたガイドレール６７に沿ってスライド可能な横部材６８に下端６６ａが固定されるとともに共に、上面の後端部６６ｂが装置本体５に固定されている。そして、蛇腹式シート６６もまたマジックミラーからなる部材によって形成されている。
本変形例では、横部材６８をガイドレール６７に沿って上下方向（矢印Ｙ方向）に移動させることで、蛇腹式シート６６も横部材６８の位置に合わせて上下方向に伸縮し、これにより、患者搬送装置１０の正面が開閉されて患者Ｍの出入り口が確保されることになる。
【００３０】
以上、本発明による患者搬送装置の実施の形態について説明したが、本発明は上記の実施の形態に限定されるものではなく、その趣旨を逸脱しない範囲で適宜変更可能である。
例えば、本実施の形態ではファン７を椅子２の下の位置（装置本体５の本体下部５２）に配置させているが、この位置であることに限定されることはない。例えば、装置上部（装置本体５の本体背面部５１の上部）に配置することも可能である。要は、吸込口４１から排気通路４３に入った空気が、フィルター４４を介して排気口４２から排出するように流れればよいのであって、ファン７の位置は何れの箇所でもかまわない。
【００３１】
また、正面の隔離シート６の開閉手段として、上述した実施の形態ではファスナー６５を使った巻き上げ式のもの、変形例では蛇腹式によるものを採用しているが、これらに限定されることはなく、例えばマジックテープ（登録商標）を用いた開閉手段であってもよい。
【００３２】
また、本実施の形態では隔離シート６全面をマジックミラーにより形成したものとしているが、例えば上面および正面に配置される隔離シート６（６４、６６）のみをマジックミラーとし、その他の側面シート６１、６２は非透明な部材のものを用いた構成であってもよい。さらに、上面および正面に配置される隔離シート６（６４、６６）の一部、例えば椅子２に座った患者Ｍの顔に対向する部分のみをマジックミラー、或いは透明な部材のものにした窓部を設けるようにしてもよい。
【００３３】
さらに、隔離空間Ｓの広さ、隔離シート６の部材、椅子２の位置、形状、吹込口４１、排気口４２、フィルター４４の位置、数量、形状等の構成は、任意に設定することが可能である。また、ファン７や電源８の性能に関しても、隔離空間Ｓの広さ等の条件に応じて適宜設定することができる。
その他、本発明の趣旨を逸脱しない範囲で、上記した実施の形態における構成要素を周知の構成要素に置き換えることは適宜可能であり、また、上記した実施の形態を適宜組み合わせてもよい。
【符号の説明】
【００３４】
１、１０  患者搬送装置
２  椅子
３  走行車輪
４  排気機構
５  装置本体
６  隔離シート
７  ファン
８  電源
９  枠材
４１  吸込口
４２  排気口
４３  排気流路
４４、４４Ａ、４４Ｂ  フィルター
６４  上面・正面シート
６５  ファスナー
６６  蛇腹式シート
Ｅ  空気
Ｍ  患者
Ｓ  隔離空間
【図１】
2011147544.tif 000003
【図２】
2011147544.tif 000004
【図３】
2011147544.tif 000005